(57)【要約】【課題】アダプタ及び固定部材から余計な張り出し部を排除して機器の中に収容しやすいようにするとともに小型化を図ることができ、アダプタを固定部材に固定するための部品（ボルト、ナット）を必要とせず、作業の効率化も図ることができるアダプタと固定部材との取付構造を提供すること。【解決手段】信号ケーブル２のコネクタ３同士を接続するアダプタ１を固定部材５に取り付ける、以下の要件を備えることを特徴とするアダプタと固定部材との取付構造。（イ）上記アダプタ１は上記固定部材５に着脱可能であること（ロ）上記固定部材５の表面には嵌合溝１５が形成され、上記アダプタ１の底面には上記嵌合溝１５に嵌入させる嵌合突部１６が形成されていること【選択図】      図１
2010026524.tif 000002
【特許請求の範囲】
【請求項１】
信号ケーブルのコネクタ同士を接続するアダプタを固定部材に取り付ける、以下の要件を備えることを特徴とするアダプタと固定部材との取付構造。
（イ）上記アダプタは上記固定部材に着脱可能であること
（ロ）上記固定部材の表面には嵌合溝が形成され、上記アダプタの底面には上記嵌合溝に嵌入させる嵌合突部が形成されていること
【発明の詳細な説明】
【技術分野】
【０００１】
本発明は、アダプタと固定部材との取付構造、詳しくは信号ケーブルのコネクタ同士を接続するアダプタと、該アダプタを固定する固定部材との取り付け構造に関するものである。
【背景技術】
【０００２】
近年、信号ケーブルを介して送信されるデータの増加量に応じて銅線を使用した信号ケーブルから通信用光ファイバーを使用した信号ケーブルが広く使用されるようになった。この光ファイバーケーブルは、銅線の信号線と異なり接続にはアダプタが必要であり、このアダプタは、角筒状に形成され、両端の開口部から光ファイバーケーブルの先端に取り付けたコネクタを差し込むことによって、光ファイバーケーブルの先端を対向させ、信号の伝達を行なうことができるようになっているものである（例えば、特許文献１）。
【特許文献１】特開２００２−２４３９７８号公報
【発明の開示】
【発明が解決しようとする課題】
【０００３】
本発明が解決しようとする問題点は、上述のアダプタにおいては、このアダプタを固定部材に固定するためには両側部に張り出し部を設け、この張り出し部にネジを挿通する孔を形成し、この張り出し部を固定部材にネジ止めすることにより固定できるようになっているが、各機器の小型化が進む中で、このアダプタを機器（例えば、光コンセント）の中に納めるには張り出し部が邪魔になる点であった。
【０００４】
本発明は、上記問題点を解決し、アダプタ及び固定部材から余計な張り出し部を排除して機器の中に収容しやすいようにするとともに小型化を図ることができ、アダプタを固定部材に固定するための部品（ボルト、ナット等）を必要とせず、作業の効率化も図ることができるアダプタと固定部材との取付構造を提供することを課題とする。
【課題を解決するための手段】
【０００５】
前記課題を解決するために本発明に係るアダプタと固定部材との取付構造は、信号ケーブルのコネクタ同士を接続するアダプタを固定部材に連結する、以下の要件を備えることを特徴とする。
（イ）上記アダプタは上記固定部材に着脱可能であること
（ロ）上記固定部材の表面には嵌合溝が形成され、上記アダプタの底面には上記嵌合溝に嵌入させる嵌合突部が形成されていること
【０００６】
なお、前記固定部材の表面には前記嵌合溝に直交して第２の嵌合溝が形成され、該第２の嵌合溝には前記アダプタの嵌合特記に係合し、アダプタを固定部材上に固定するロック部材を嵌入させて、アダプタが固定部材から外れないようにすればよい。
【０００７】
そして、前記アダプタの底面に形成された嵌合突部に前記ロック部材を係合させる係合凹溝を形成し、アダプタをより確実に固定部材に固定できるようにすればよい。
【０００８】
なお、前記アダプタで連結される信号ケーブルは光ファイバーケーブルであればよい。
【発明の効果】
【０００９】
請求項１の発明によれば、アダプタの底面に形成された嵌合突部を固定部材の表面に形成された嵌合溝に嵌入するだけでアダプタを固定部材に固定することができ、固定するための機構が外部に突出することなく固定できるので、小型化が図れるとともに機器の中に収容しやすくなる。
【００１０】
請求項２の発明によれば、ロック部材をアダプタの底面に形成された嵌合突部に係合させることにより、一旦固定部材に取り付けたアダプタが容易に外れることがなくなる。
【００１１】
請求項３の発明によれば、係合凹部にロック部材を係合させることにより、さらに確実にアダプタを固定部材上に固定することができる。
【００１２】
請求項４の発明によれば、光ファイバーケーブルのコネクタを接続したアダプタを固定部材に固定することができる。
【発明を実施するための最良の形態】
【００１３】
以下、本発明の実施形態について図面を参照して詳細に説明する。
〔第１実施形態とその変形例〕
図１乃至図８は本発明の第１実施形態とその変形例を示す図である。
図１において、符号１は信号ケーブル２のコネクタ３同士を接続するアダプタを示し、符号５は上記アダプタ１が取り付けられる固定部材を示している。本実施形態では、上記信号ケーブル２として光ファイバーケーブルを用いた場合について説明する。
【００１４】
上記光ファイバーケーブル２のコネクタ３は、一般的に用いられている光ファイバーの標準方式に適合する公知のＳＣ形光コネクタ（図２（ａ）（ｂ）参照）で、内部構造は省略するが、角柱状に形成されたコネクタ３の内部で光ファイバーケーブル２の先端とフェルール６とが接続固定され、コネクタ３の前端から内装したフェルール６の先端が突出するようになっており、上面には後述するアダプタ１の上面に形成された案内溝７に係合し、アダプタ１に対するコネクタ３の向きを規制するキー８が突出形成され、両側面にはアダプタ１の内部に配置されたフック１０が噛み込み、コネクタ３をアダプタ１内に固定させるための係止凹部１１が形成されている。
【００１５】
アダプタ１は上記コネクタ３を両側から差し込むことによってコネクタ３同士を接続するためのものであって、略角筒状に形成され、内部構造の詳細は省略するが、図３の断面図に示すように、差し込んだコネクタ３の係止凹部１１に噛み込んでコネクタ３をアダプタ１に固定するためのフック１０が形成され、上面の長手方向両端には上記コネクタ３のキー８を案内する案内溝７が形成されている。
【００１６】
このアダプタ１の裏面の長手方向中央両端には固定部材５に形成された嵌合溝１５に嵌入させるための嵌合突部１６が形成されている（図４（ｃ）参照）。この嵌合突部１６は中央部分に直交して逆台形状の係合凹溝１７が形成され、この係合凹溝１７には後述するロック部材２０が係合するようになっている。
【００１７】
固定部材５は、上記アダプタ１を取り付けるものであって、図５に示すように、板状に形成され表面中央には上記アダプタ１の嵌合突部１６を嵌入させる嵌合溝１５が長手方向に直交して形成され、この嵌合溝１５に直交して第２の嵌合溝１８が形成されている。この嵌合溝１５と第２の嵌合溝１８とはアリ溝で構成され、嵌合溝１５は固定部材５の両側に開放し、第２の嵌合溝１８は固定部材５の一端側に開放し、全体として十字状に形成されている。
【００１８】
そして、上記第２の嵌合溝１８には後述するロック部材２０に係合し、このロック部材２０の位置決めを行なうストッパー２１が形成されている。このストッパー２１は第２の嵌合溝１８の底面に長手方向にコの字状に切りかかれて上下に撓む用に形成された切片で構成され、この切片２１の先端部は上面に係合突部２１ａが突出形成され、この係合突部２１ａがロック部材２０の裏面に形成された仮止め凹部２２と、抜け止め凹部２３とに選択的に係合するようになっている。
【００１９】
次に、上記構成のアダプタ１を固定部材５に取り付ける取付態様について説明する。
【００２０】
先ず、図６（ａ）に示すように、ロック部材２０を固定部材５の第２の嵌合溝１８に差し込み、仮止め凹部２２がストッパー２１の係合突部２１ａに係合するまで嵌入し、ロック部材２０を固定部材５にセットする（図６（ｂ）参照）。
【００２１】
次に、図６（ｂ）に示すように、アダプタ１の裏面に形成された嵌合突部１６を固定部材５の嵌合溝１５に差し込み、嵌合突部１６の中央部分に形成された係合凹溝１７が第２の嵌合溝１８に対応する位置まで嵌入する。その後、ロック部材２０の抜け止め凹部２３がストッパー２１の係合突部２１ａに係合するまでロック部材２０を押し込むと、ロック部材２０の先端はアダプタ１の係合凹溝１７を貫通した状態で安定し、固定部材５上にアダプタ１を固定することができる（図６（ｃ）参照）。
【００２２】
次に、一組のケーブル２を接続するアダプタ１を複数個並接した状態で固定部材に固定できるようにした場合を説明する。図７（ａ）は、アダプタ１を２個並設した状態で固定部材５’に固定する場合を示し、図７（ｂ）は、アダプタ１の背面側斜視図を示す。
【００２３】
上記固定部材５’には嵌合溝１５’がアダプタ１の横幅の二個分の長さに形成され、一端は固定部材５’の側面に開口し、他端は固定部材上で終端して開放されないように形成されているもので、第２の嵌合溝１８’は嵌合溝１５の開放端側に取付けられるアダプタ１の係合凹溝１７に対応する位置に形成されていればよい。
【００２４】
上記固定部材５’にアダプタ１を固定する場合は、上述のアダプタ１を固定部材５に固定する場合と同様に、予めロック部材２０を固定部材５’の第２の嵌合溝１８’に差し込み、仮止め凹部２２がストッパー２１の係合突部２１ａに係合するまで嵌入し、ロック部材２０を固定部材５’にセットしておき、１つ目のアダプタ１ａの裏面に形成された嵌合突部１６を固定部材５’の嵌合溝１５’に差し込み、嵌合突部１６が嵌合溝１５’の終端１５ａ’に突き当たるまで押し込む。
【００２５】
さらに、２つ目のアダプタ１ｂの裏面に形成された嵌合突部１６を固定部材５’の嵌合溝１５’に差し込み、嵌合突部１６の中央部分に形成された係合凹溝１７が第２の嵌合溝１８’に対応する位置まで嵌入する。その後、ロック部材２０の抜け止め凹部２３がストッパー２１の係合突部２１ａに係合するまでロック部材２０を押し込むと、ロック部材２０の先端はアダプタ１の係合凹溝１７を貫通した状態で安定し、固定部材５’上にアダプタ１ｂを固定することができ、２つのアダプタを固定部材上に固定することができる。
【００２６】
なお、上記固定部材５’は一組のケーブルを接続するアダプタ１を複数個並接した状態で固定できる場合について説明したが、複数組のケーブルを接続することができるアダプタを固定部材に固定できるようにしてもよい。
【００２７】
図８（ａ）は２組のケーブルを接続するアダプタ１’を固定部材５”に固定する場合の斜視図を示し、図８（ｂ）は上記アダプタ１’の背面側斜視図を示す。
【００２８】
このアダプタ１’を固定部材５”に固定する場合は、上述の一組のケーブル２を接続するアダプタ１を固定部材５に取り付ける際と同様に、アダプタ１’の底面に形成された嵌合突部１６’を固定部材５”の嵌合溝１５”に嵌入し、ロック部材２０を嵌合突部１６”に形成された係合凹溝１７”を貫通するように押し込めばよい。
【００２９】
なお、上述のアダプタは信号ケーブルを光ファイバーケーブルで構成した場合について説明したが、この信号ケーブルは光ファイバーに限定されるものではなく、電線ケーブルであっても構わない。また、光ファイバーケーブルのコネクタをＳＣ形光コネクタで説明したが、ＭＴ形やＭＵ形光コネクタ等であっても構わない。
【００３０】
〔第２実施形態〕
次に、本発明の第２実施形態について、図９及び図１０を参照して説明する。
アダプタ３０（光ファイバアダプタ）は、図９に示すように筒形の構成であり、中空部内にコネクタ接続部３１が形成されている。このアダプタ３０は、図１０に示すように、光ファイバ６０の各コネクタ部６１を、互いに対向する方向から差し込むことができ、コネクタ接続部３１でこれら各コネクタ部６１を光学的に接続する光ファイバ接続部材としての機能を有している。
【００３１】
アダプタ３０の外側背面には、図９（ｂ）（ｃ）（ｇ）に示すように、両側部が楔状をした嵌合突部３２が形成されている。この嵌合突部３２は、図９（ｇ）の上下方向に延びており、その背面中央部には弾力的に撓む係止爪３３が突き出して形成してある。
【００３２】
一方、アダプタ３０が装着される固定部材５０の表面には、図９（ｉ）（ｈ）に示すように、蟻溝状の嵌合溝５１が形成されている。嵌合溝５１は、一端側からアダプタ３０の嵌合突部３２を嵌め込み、スライドさせることで嵌合状態を形成することができる。
【００３３】
嵌合溝５１の底面中央部には、切欠係合部５２が形成してある。嵌合突部３２が嵌合溝５１にスライド嵌合したとき、この切欠係合部５２にアダプタ３０の係止爪３３が係合して、嵌合溝５１からの嵌合突部３２の自由な抜けを規制する（図９（ｈ）参照）。なお、切欠係合部５２は、固定部材５０の裏面に貫通しており、裏面側から係止爪３３を押し出すことで、切欠係合部５２に対する係止爪３３の係合状態を解除することができる。
【００３４】
〔第３実施形態〕
次に、本発明の第３実施形態について、図１１及び図１２を参照して説明する。
本実施形態では、信号ケーブルとして、一般にＰＯＦと呼ばれるプラスチック製の光ファイバ７０を用いており（図１２参照）、この光ファイバ７０の一端に設けられたコネクタ部７１と、これを接続するアダプタ３０は、かかるＰＯＦ用の光ファイバ７０に適合する構造となっている。一般に、このＰＯＦ用光ファイバ７０は、宅内の各部屋間や機器などを接続するＬＡＮ配線に用いられる。
【００３５】
なお、上記第２実施形態で用いた光ファイバ６０は、ＦＴＴＨに適した石英系ガラス光ファイバを使用しており、同光ファイバ６０のコネクタ部６１と、これを接続するアダプタ３０は、かかるＦＴＴＨに適した石英系ガラス光ファイバに適合する構造となっている。
ただし、本発明は光ファイバの種類に限定されるものではなく、第２実施形態で示した構造のアダプタを、ＰＯＦ用の光ファイバが接続される構成とすることもでき、また第３実施形態で示されるアダプタを、ＦＴＴＨに適した石英系ガラス光ファイバが接続される構成とすることもできる。
【００３６】
本実施形態では、図１１（ｆ）（ｇ）に示すように、アダプタ３０の外側背部からバネ性を有する２本の係合脚部３５（嵌合突部）が突き出して設けてある。この係合脚部３５は、先端が鈎状に湾曲している。
一方、固定部材５０の表面には、図１１（ｇ）に示すように、２つの係止溝５５（嵌合溝）が並べて形成されている。これらの係止溝５５は、アダプタ３０に形成した各係合脚部３５の鈎状部分を一端から嵌め込み、スライドさせることで係合状態を形成することができる。
【００３７】
また、本実施形態では、アダプタ３０として二芯用のものを用いている。二芯用のアダプタ３０は、図１１（ｃ）に示すように、中空部内に２つのコネクタ接続部３１，３１が形成されており、各コネクタ接続部３１，３１に、それぞれ二芯用光ファイバ７０のコネクタ部７１が互いに対向する方向から差し込み可能となっている。
二芯用光ファイバ７０には、２本の光ファイバ芯線が内蔵されている。二芯用光ファイバ７０の一端には、二芯用の雄型光ファイバコネクタによってコネクタ部７１が形成されている（図１２（ａ）（ｂ）参照）。
【００３８】
なお、本発明は上述した実施形態に限定されるものではない。
例えば、嵌合突部１６，３２は、アダプタとは別部品として製作し、両面粘着テープ等を用いてアダプタに取り付ける構成としてもよい。このように構成すれば、既存のアダプタにも嵌合突部１６，３２を設けることができる。嵌合突部３２を構成する部品には、係止爪３３も併せて形成しておくことが好ましい。
【図面の簡単な説明】
【００３９】
【図１】本発明に係る第１実施形態のアダプタと固定部材を説明する斜視図である。
【図２】（ａ）（ｂ）はケーブルの正面図及び側面図である。
【図３】（ａ）（ｂ）はアダプタの横断面図及び縦断面図である。
【図４】（ａ）〜（ｅ）はアダプタの正面図、側面図、背面図、底面図及び平面図である。
【図５】固定部材とロック部材との関係を説明する斜視図である。
【図６】（ａ）〜（ｃ）はアダプタを固定部材に取り付ける取付過程の説明斜視図である。
【図７】（ａ）（ｂ）は上記アダプタを複数固定する固定部材の斜視図及びアダプタの底面側斜視図である。
【図８】（ａ）（ｂ）は第１実施形態の変形例に係るアダプタと固定部材の斜視図及びアダプタの底面側斜視図である。
【図９】本発明の第２実施形態に係るアダプタを示す図で、（ａ）は正面図、（ｂ）は平面図、（ｃ）は底面図、（ｄ）は側面断面図、（ｅ）は平面断面図、（ｆ）は側面図、（ｇ）は背面図、（ｈ）は固定部材への装着状態を示す側面断面図、（ｉ）は同じく平面図である。
【図１０】図９に示すアダプタとこれに差し込まれる光ファイバを示す正面図である。
【図１１】本発明の第２実施形態に係るアダプタを示す図で、（ａ）は正面図、（ｂ）は側面図、（ｃ）は平面断面図、（ｄ）は側面断面図、（ｅ）は背面図、（ｆ）は底面図、（ｇ）は固定部材への装着状態を示す底面断面図である。
【図１２】（ａ）は光ファイバのコネクタ部を示す正面図、（ｂ）は同じく底面図である。
【符号の説明】
【００４０】
１：アダプタ、２：信号ケーブル、３：コネクタ、５：固定部材、１５：嵌合溝、１６：嵌合突部、１８：第２の嵌合溝、２０：ロック部材、３０：アダプタ、３１：コネクタ接続部、３２：嵌合突起、３３：係止爪、３５：係合脚部、５０：固定部材、５１：嵌合溝、５２：切欠係合部、５５：係止溝、６０，７０：光ファイバ
【図１】
2010026524.tif 000003
【図２】
2010026524.tif 000004
【図３】
2010026524.tif 000005
【図４】
2010026524.tif 000006
【図５】
2010026524.tif 000007
【図６】
2010026524.tif 000008
【図７】
2010026524.tif 000009
【図８】
2010026524.tif 000010
【図９】
2010026524.tif 000011
【図１０】
2010026524.tif 000012
【図１１】
2010026524.tif 000013
【図１２】
2010026524.tif 000014